(57)【特許請求の範囲】
【請求項１】
Ｘ線発生装置が発するＸ線を検出する検出器と、
前記検出器の初期化処理中にＸ線照射を要求する信号を受信した場合、該初期化処理の開始から該信号を受信するまでの時間が、該初期化処理の終了した時点から経過することに応じてＸ線照射を許可する信号を発する制御手段と
を有することを特徴とするＸ線撮影装置。
【請求項２】
前記制御手段は、前記検出器が初期化処理を実行していないときにＸ線照射を要求する信号を受信した場合、該受信に応じて前記検出器に初期化処理を実行させ、該初期化処理が終了したことに応じてＸ線照射を許可する信号を発することを特徴とする請求項１に記載のＸ線撮影装置。
【請求項３】
更に、
前記検出器の初期化処理中にＸ線照射を要求する信号を受信した場合に、前記検出器が初期化処理を開始してからＸ線照射を要求する信号を受信するまでの時間を記憶する記憶手段を有し、
前記制御手段は、前記初期化処理の終了から前記記憶手段に記憶された時間が経過したことに応じてＸ線照射を許可する信号を発する
ことを特徴とする請求項１または２に記載のＸ線撮影装置。
【請求項４】
前記制御手段は、前記Ｘ線照射を要求する信号を受信していない間は、前記検出器に定期的に前記初期化処理を実行させることを特徴とする請求項１乃至３のいずれか１項に記載のＸ線撮影装置。
【請求項５】
前記制御手段は、前記Ｘ線照射を許可する信号を前記Ｘ線発生装置に対して発することを特徴とする請求項１乃至４のいずれか１項に記載のＸ線撮影装置。
【請求項６】
Ｘ線発生装置が発するＸ線を検出する検出器と、
前記検出器に定期的に該検出器の初期化処理を実行させる制御手段と
を有するＸ線撮影装置であって、
前記制御手段は、
前記検出器が初期化処理を実行していないときに、Ｘ線照射の指示に応じて発せられる第一の信号を受信した場合、該受信に応じて前記検出器に初期化処理を実行させ、該初期化処理が終了したことに応じてＸ線照射を許可する第二の信号を発し、
前記検出器の初期化処理中に前記第一の信号を受信した場合、該受信のタイミングから前記検出器が初期化処理に要する時間が経過したことに応じて前記第二の信号を発する
ことを特徴とするＸ線撮影装置。
【請求項７】
請求項１乃至６のいずれか１項に記載のＸ線撮影装置と、前記Ｘ線発生装置とを有することを特徴とするＸ線撮影システム。
【請求項８】
Ｘ線発生装置が発するＸ線を検出する検出器と、前記検出器の制御を行う検出器制御装置とを有するＸ線撮影システムであって、
前記検出器制御装置は、
前記検出器の初期化処理中にＸ線照射を要求する信号を受信した場合、該初期化処理の開始から該信号を受信するまでの時間が、該初期化処理の終了した時点から経過することに応じて前記Ｘ線発生装置に対してＸ線照射を許可する信号を発することを特徴とするＸ線撮影システム。
【請求項９】
Ｘ線発生装置が発するＸ線を検出する検出器の制御を行う検出器制御装置の制御方法であって、
前記検出器の初期化処理中にＸ線照射を要求する信号を受信した場合、該初期化処理の開始から該信号を受信するまでの時間が、該初期化処理の終了した時点から経過したか否かを判断する判断工程と、
前記判断工程で前記時間が経過したと判断したことに応じて、Ｘ線照射を許可する信号を発する工程と
を有することを特徴とする検出器制御装置の制御方法。
【請求項１０】
Ｘ線発生装置が発するＸ線を検出する検出器に定期的に初期化処理を実行させる検出器制御装置の制御方法であって、
前記検出器が初期化処理を実行していないときに、Ｘ線照射の指示に応じて発せられる第一の信号を受信した場合、該受信に応じて前記検出器に初期化処理を実行させ、該初期化処理が終了したことに応じてＸ線照射を許可する第二の信号を発し、
前記検出器の初期化処理中に前記第一の信号を受信した場合、該受信のタイミングから前記検出器が初期化処理に要する時間が経過したことに応じて前記第二の信号を発する
ことを特徴とする検出器制御装置の制御方法。
【請求項１１】
請求項９又は１０に記載の制御方法をコンピュータに実行させるためのプログラム。
【発明の詳細な説明】
【０００１】
【発明の属する技術分野】
本発明は、Ｘ線撮影技術に関するものである。
【０００２】
【従来の技術】
従来、医療診断を目的とする放射線撮影である医療用放射線撮影において、（スポット）撮影には、増感紙とＸ線写真フィルムを組み合わせたＸ線写真法が用いられている。
【０００３】
被検体を透過したＸ線等の放射線が増感紙に入射すると、増感紙に含まれる蛍光体がこのＸ線エネルギーを吸収し、蛍光を発する。この発光がＸ線写真フィルムを感光させ、Ｘ線写真フィルム上には放射線画像が形成される。このフィルムを現像・定着処理することによってＸ線画像を可視化することができる。
【０００４】
そして、最近では放射線画像をディジタル的に取り込む手法が種々開発されている。Ｘ線に感度を持ち、検出したＸ線をその強度に応じた電気信号に変換・出力する光電変換素子、あるいはＸ線のエネルギーを吸収し、それに応じた強度の蛍光を発する蛍光体と、可視光に感度を持ち、その強度に応じた電気信号を出力する光電変換素子の組み合わせからなるＸ線画像検出器を用いて、Ｘ線画像を電気信号に変換し、Ａ／Ｄ変換によってディジタル的に取り込む手法等がある。
【０００５】
図７はＸ線撮影システムの一例を示した概略ブロック図である。
【０００６】
図７において、１はＸ線発生装置、２はホストコンピュータ、３は蛍光体、４は光検出器とスイッチング素子からなる光電変換素子を平面状に多数配置した平面検出器、５は平面検出器４を制御する平面検出器制御部、６は被写体を表す。そして、Ｘ線撮影装置は蛍光体３、平面検出器４、平面検出器制御５とからなる。
【０００７】
Ｘ線発生装置１には不図示のＸ線照射スイッチがあり、Ｘ線照射スイッチが押されると、Ｘ線照射要求が発生した事を示す信号がホストコンピュータ２に届く。そして、ホストコンピュータ２はＸ線照射要求が発生した事を平面検出器制御部５に伝える。平面検出器制御部５はＸ線照射要求が届くと、平面検出器４を初期化し、平面検出器４の初期化が終了するとＸ線照射許可信号をホストコンピュータ２に伝える。そして、ホストコンピュータ２はＸ線照射許可信号を受けると、Ｘ線照射が許可された事を示す信号をＸ線発生装置１に伝える。すると、Ｘ線発生装置１はＸ線照射を行う。照射されたＸ線は被写体６を通過して、蛍光体３によって、入射したＸ線量に比例した光に変換される。この光は平面検出器４によって電気信号に変換される。平面検出器制御部５がその電気信号を読み取ると同時に、ホストコンピュータ２にＸ線ディジタル画像を転送する。そして、転送されたＸ線ディジタル画像はホストコンピュータ２によって画像処理され、不図示の表示装置に撮影したＸ線ディジタル画像が表示される。
【０００８】
図８に１個の光電変換素子の等価回路を示す。以下の例では光電変換素子としてアモルファスシリコンセンサについて説明を加えていくが、光電変換素子は特に限定する必要はなく、例えばその他の固体撮像素子（電荷結合素子など）あるいは光電子倍増管のような素子であってもよい。
【０００９】
図８において、１素子の光電変換素子２０の構成は光検出器２１と電荷の蓄積および読み取りを制御するスイッチング素子２２とで構成され、一般にはガラスの基板上に配されたアモルファスシリコン（α−Ｓｉ）で形成される。
【００１０】
光検出器２１中のコンデンサ２１Ｃは、この例では単に寄生キャパシタンスを有した光ダイオードでもよいし、光ダイオード２１Ｄと検出器のダイナミックレンジを改良するように追加コンデンサ２１Ｃを並列に含んでいる光検出器と捉えても良い。そしてこの光検出器２１にＸ線を照射すると、光ダイオード２１ＤでＸ線量に応じた電荷発生し、発生した電荷はコンデンサ２１Ｃに蓄積される。
【００１１】
ダイオード２１ＤのアノードＡはリフレッシュ制御回路２３に接続されている。リフレッシュ制御回路２３は通常電圧Ｖｓのバイアス電圧を出力しているが、一時的にリフレッシュ電圧Ｖｒを出力してコンデンサ２１を初期化する事ができる。
【００１２】
また、カソードＫはコンデンサ２１Ｃに蓄積された電荷を読み出すための制御自在なスイッチング素子２２に接続されている。この例では、スイッチング素子２２はダイオード２１ＤのカソードＫと電荷読み出し用増幅器２５との間に接続された薄膜トランジスタである。
【００１３】
そして、スイッチング素子２２のゲートＧにはゲート制御回路２４が接続されており、ゲート制御回路２４がゲート信号Ｖｇを出力する事によりコンデンサ２１Ｃに蓄積された電荷を読み出す。読み出された電荷は増幅器２５によって増幅され、サンプルホールド回路２６を通して、Ａ／Ｄ変換回路２７によってＡ／Ｄ変換が行われ、コンデンサ２１Ｃに蓄積された電荷がディジタル化される。
【００１４】
次に、１個の光電変換素子２０の初期化処理を図９を用いて説明する。
【００１５】
図９において、リフレッシュ信号はリフレッシュ制御回路２３の出力信号、ゲート信号はゲート制御回路２４の出力信号、暗電流はコンデンサ２１Ｃに流れる電流を示している。通常リフレッシュ信号の電圧はバイアス電圧Ｖｓ、ゲート信号の電圧は０Ｖになっており、また暗電流は殆ど流れない。
【００１６】
この状態でコンデンサ２１Ｃを初期化するために、時刻Ｔ１においてリフレッシュ電圧Ｖｒを出力する。リフレッシュ信号がリフレッシュ電圧Ｖｒになるとマイナスの暗電流が流れ、コンデンサ２１Ｃに蓄積された電荷が掃き出される。そして、リフレッシュ信号がリフレッシュ電圧Ｖｒになっている時間（時刻Ｔ１から時刻Ｔ２までの時間）は、コンデンサ２１Ｃに蓄積された電荷が十分に小さくなるように予め決められている。
【００１７】
次に、時刻Ｔ２においてリフレッシュ信号の電圧をバイアス電圧Ｖｓにする。以下では、リフレッシュ制御回路２３が一時的にリフレッシュ信号を出力してその電圧がＶｒになり、コンデンサ２１Ｃを初期化する動作をリフレッシュと称する。また、バイアス電圧Ｖｓに切り替えた直後に、多大なプラスの暗電流が発生し、それがコンデンサ２１Ｃに電荷として蓄積される。そして、Ｘ線撮影画像に対するノイズは暗電流によって蓄積された電荷の平方根に比例する事が知られている。
【００１８】
そこで、リフレッシュ処理を行った後は、時刻Ｔ３にゲート制御回路２４は一時的にゲート信号Ｖｇを出力する。その結果、コンデンサ２１Ｃに蓄積された電荷が掃き出される。
【００１９】
また、時刻Ｔ３は暗電流が十分小さくなる様に予め決められている。以下では、ゲート制御回路２４が一時的にゲート信号Ｖｇを出力して暗電流によりコンデンサ２１Ｃに蓄積された電荷を掃き出す動作を空読みと称する。次に、コンデンサ２１Ｃに蓄積された電荷が十分掃き出されると、時刻Ｔ５においてゲート信号を０Ｖとする。そして、ゲート信号がゲート電圧Ｖｇになっている時間（時刻Ｔ３から時刻Ｔ５までの時間）はコンデンサ２１Ｃに蓄積された電荷が十分に小さくなるように予め決められている。
【００２０】
しかし、空読みをおこなっても、僅かな暗電流が流れつづけるために、コンデンサ２１Ｃには徐々に電荷が蓄積されていく。そのため、リフレッシュ処理と空読み処理からなる光電変換素子２０の初期化処理は定期的に繰り返す。また、同様の理由により、Ｘ線撮影直前にも光電変換素子２０の初期化処理を行う。
【００２１】
図１０は平面検出器４と平面検出器制御部５の一例を示すブロック図である。
【００２２】
図１０において、７は平面検出器４からＸ線ディジタル画像を読み出すためのＣＰＵであり、リフレッシュ制御回路８、行アドレス選択回路９、列アドレス選択回路１０が接続されている。そして、ＣＰＵ７はそれぞれの回路を制御する事が出来る。また、ＣＰＵ７は不図示のホストコンピュータ２と接続され、平面検出器４から読み出したＸ線ディジタル画像をホストコンピュータ２に転送できる。
【００２３】
平面検出器４は図８に示した光電変換素子２０を平面に多数配置したものであるが、図１０においては説明を簡単にするために、行方向に２つ、列方向に２つの光電変換素子２０を平面状に配置している。
【００２４】
前述したように１画素の光電変換素子２０は光検出部２１とスイッチングＴＦＴ２２とで構成される。そして、光検出部２１（１、１）〜光検出部２１（２、２）は前述した光検出部２１に対応するものであり、光検出部２１のカソード側をＫ、アノード側をＡとして表している。また、ＴＦＴ２２（１、１）〜ＴＦＴ２２（２、２）はスイッチングＴＦＴ２２に対応するものであり、ＴＦＴのソース電極をＳ、ゲート電極をＧ、ドレイン電極をＤとして表している。
【００２５】
各行のＴＦＴ２２のゲート電極Ｇは行アドレス選択回路９と接続されており、行アドレス選択回路９は前述したゲート制御回路２４とスイッチＳＷｒ１〜２とからなっている。
【００２６】
各列のＴＦＴ２２のドレイン電極Ｄは列アドレス選択回路１０と接続されており、列アドレス選択回路１０は増幅器２５、サンプルホールド回路２６、スイッチＳＷｃ１〜２からなっている。
【００２７】
また、光検出部２１のアノード側は全てリフレッシュ制御回路８に接続されており、通常リフレッシュ制御回路８は電圧Ｖｓのバイアス電圧を出力しており、リフレッシュ信号として出力する時にはリフレッシュ電圧Ｖｒを出力する。そして、リフレッシュ制御回路８は図８に示したリフレッシュ制御回路２３と同じものである。
【００２８】
次に、図１０に示した構成において、図１１に示す複数の光電変換素子２０の初期化処理について説明する。
【００２９】
図１１において、リフレッシュ信号はリフレッシュ制御回路８の出力信号、ゲート信号はゲート制御回路２４の出力信号、ＳＷｒ１〜２は行アドレス選択回路９の中のスイッチＳＷｒ１〜２を示している。通常、リフレッシュ信号の電圧はバイアス電圧Ｖｓ、ゲート信号の電圧は０Ｖ、ＳＷｒ１〜２はＯＦＦ状態となっている。従って、全ての光検出部２１（１、１）〜光検出部２１（２、２）のアノード側Ａはバイアス電圧Ｖｓ、全てのＴＦＴ２２（１、１）〜ＴＦＴ２２（２、２）のゲート電極Ｇは０Ｖになっている。
【００３０】
この状態で全ての光検出部２１を初期化するために時刻Ｔ１においてリフレッシュ電圧Ｖｒを出力する。リフレッシュ信号がリフレッシュ電圧Ｖｒになると、マイナスの暗電流が流れ、光検出部２１の中のコンデンサ２１Ｃに蓄積された電荷が掃き出される。次に、時刻Ｔ２においてリフレッシュ信号の電圧をバイアス電圧Ｖｓにする。そして、バイアス電圧Ｖｓに切り替えた直後に、多大なプラスの暗電流が発生し、それが光検出部２１の中のコンデンサ２１Ｃに電荷として蓄積される。そこで、リフレッシュ処理を行った後は、時刻Ｔ３においてゲート制御回路２４が一時的にゲート信号Ｖｇを出力し、スイッチＳＷｒ１をＯＮにする。すると、１行目のＴＦＴ２２（１、１）〜ＴＦＴ２２（１、２）のゲート電極Ｇの電圧はＶｇとなり、１行目の光検出部２１の中のコンデンサ２１Ｃに蓄積された電荷が掃き出される。次に、時刻Ｔ４においてスイッチＳＷｒ１をＯＦＦにし、スイッチＳＷｒ２をＯＮにする。すると、１行目のＴＦＴ２２（１、１）〜ＴＦＴ２２（１、２）のゲート電極Ｇの電圧は０Ｖとなり、２行目のＴＦＴ２２（２、１）〜ＴＦＴ２２（２、２）のゲート電極Ｇの電圧はＶｇとなるために、２行目の光検出部２１の中のコンデンサ２１Ｃに蓄積された電荷が掃き出される。
【００３１】
次に、時刻Ｔ５においてゲート信号を０Ｖ、スイッチＳＷｒ２をＯＦＦとすると、全てのＴＦＴ２２（１、１）〜ＴＦＴ２２（２、２）のゲート電極Ｇは０Ｖになり、初期化処理を終了する。時刻Ｔ１から時刻Ｔ５までが初期化処理となる。
【００３２】
次に、光電変換素子２０の初期化処理とＸ線撮影との関係を図１２に示す。図１２に示すように、Ｘ線撮影を行わない場合は、リフレッシュと空読み（初期化処理）をＴＩ間隔で定期的に繰り返している。そして図１２は、時刻Ｔ１の時（リフレッシュと空読みを行っているとき以外のタイミング）にＸ線発生装置１のＸ線照射スイッチが押され、Ｘ線照射要求がホストコンピュータ２を経由して平面検出器制御部５に届いた場合を示している。Ｘ線照射要求が発生すると、このＸ線照射要求をうけたホストコンピュータ２はＸ線照射要求信号をＬｏｗにする。
【００３３】
Ｘ線照射要求信号がＬｏｗになると、再びリフレッシュと空読みを行い、それが終わると平面検出器制御部５は時刻Ｔ５でＸ線照射許可信号を出力する。つまり、Ｘ線照射許可信号をＬｏｗにする。Ｘ線照射許可信号がＬｏｗになった時に、Ｘ線照射を許可する。ここで、Ｘ線照射要求信号がＬｏｗになってからＸ線照射許可信号がＬｏｗになるまでの時間は曝射ディレイ時間と呼ばれ、図１２においてはＴＤ１で示している。
【００３４】
Ｘ線照射許可信号がホストコンピュータ２を経由してＸ線発生装置１に届くと、Ｘ線発生装置１は図１２に示すようにＸ線を照射する。そして、Ｘ線発生装置１がＸ線を照射すると、照射されたＸ線は被写体６を通過して、蛍光体３によって入射したＸ線量に比例した光に変換され、その光に応じた電荷がコンデンサ２１Ｃに電荷が蓄積される。
【００３５】
Ｘ線の照射が終了すると、時刻Ｔ６においてホストコンピュータ２はＸ線照射許可信号をＨｉｇｈにしてＸ線発生装置１に出力する。Ｘ線照射許可信号がＨｉｇｈになると、Ｘ線照射要求信号がＨｉｇｈになる。
【００３６】
また、Ｘ線の照射が終了すると、時刻Ｔ６でゲート信号をＶｇ、スイッチＳＷｒ１をＯＮにする。すると、図１０に示した１行目のＴＦＴ２２（１、１）〜ＴＦＴ２２（１、２）のゲート電極Ｇの電圧はＶｇとなり、１行目の光検出部２１の中のコンデンサ２１Ｃに蓄積された電荷が読み出され、増幅器２５、サンプルホールド回路２６を通って読み出された信号がホールドされる。そして、時刻Ｔ６でスイッチＳＷｃ１をＯＮとすると、１行１列目の光検出部２１のホールドされた信号がＡ／Ｄ変換回路２７によってディジタル化され、その値がホストコンピュータ２に転送される。また、時刻Ｔ７において、スイッチＳＷｃ１をＯＦＦ、スイッチＳＷｃ２をＯＮすると、１行２列目の光検出部２１のホールドされた信号がＡ／Ｄ変換回路２７によってディジタル化され、その値がホストコンピュータ２に転送される。
【００３７】
次に、時刻Ｔ８において、スイッチＳＷｒ１をＯＦＦ、スイッチＳＷｒ２をＯＮにすると、図１０に示した２行目のＴＦＴ２２（２、１）〜ＴＦＴ２２（２、２）のゲート電極Ｇの電圧はＶｇとなり、２行目の光検出部２１の中のコンデンサ２１Ｃに蓄積された電荷が読み出され、増幅器２５、サンプルホールド回路２６を通って読み出された信号がホールドされる。そして、時刻Ｔ８でスイッチＳＷｃ１をＯＮとすると、２行１列目の光検出部２１のホールドされた信号がＡ／Ｄ変換回路２７によってディジタル化され、その値がホストコンピュータ２に転送される。また、時刻Ｔ９において、スイッチＳＷｃ１をＯＦＦ、スイッチＳＷｃ２をＯＮにすると、２行２列目の光検出部２１のホールドされた信号がＡ／Ｄ変換回路２７によってディジタル化され、その値がホストコンピュータ２に転送される。
【００３８】
そして、平面検出器４に蓄積された全ての電荷がホストコンピュータ２に転送されると、時刻Ｔ１０において、ゲート信号を０Ｖ、ＳＷｒ１、ＳＷｒ２をＯＦＦ、ＳＷｃ１、ＳＷｃ２をＯＦＦにする。以下では、ゲート信号をＶｇ、ＳＷｒ１、ＳＷｒ２を一時的にＯＮ、ＳＷｃ１、ＳＷｃ２を一時的にＯＮして平面検出器４に蓄積された全ての電荷を読み出す事を本読みと称する。
【００３９】
【発明が解決しようとする課題】
上述の従来例では図１２に示した様に、初期化処理以外の時にＸ線照射スイッチが押され、Ｘ線照射要求信号がＬｏｗになった場合には直ちにリフレッシュ処理と空読みを行っていた。
【００４０】
しかし、初期化処理中にＸ線照射スイッチが押され、Ｘ線照射要求信号がＬｏｗになった場合には、現在行っている初期化処理を中断し、再度はじめから初期化処理を行っていた。Ｘ線照射要求が発生した時に、初期化処理を中断して、直ちにリフレッシュを行うと、暗電流が流れてしまう。その結果、コンデンサ２１Ｃには多くの電荷が蓄積され、その後空読みを行っても一部の電荷が残った状態になってしまう。そして、Ｘ線撮影画像に対するノイズは暗電流によって蓄積された電荷の平方根に比例する事が知られているために、この状態でＸ線を照射するとＸ線撮影画像のノイズが大きくなってしまうという問題があった。
【００４１】
本発明は以上の問題に鑑みて成されたものであり、検出器の初期化中にＸ線の照射要求を受けても、Ｘ線撮影画像中のノイズを増やさないことを目的とする。
【００４２】
また、Ｘ線の照射要求を受けてからＸ線撮影を許可するまでの時間をより短くすることが望ましい。従って、本発明は、検出器の初期化中にＸ線の照射要求を受けてた場合は、曝射ディレイ時間を短くすることを目的とする。
【００４３】
【課題を解決するための手段】
本発明の目的を達成するために、例えば本発明のＸ線撮影装置は以下の構成を備える。
【００４４】
すなわち、Ｘ線発生装置が発するＸ線を検出する検出器と、
前記検出器の初期化処理中にＸ線照射を要求する信号を受信した場合、該初期化処理の開始から該信号を受信するまでの時間が、該初期化処理の終了した時点から経過することに応じてＸ線照射を許可する信号を発する制御手段と
を有することを特徴とする。
【００４７】
【発明の実施の形態】
以下添付図面を参照して、本発明を好適な実施形態に従って詳細に説明する。
【００４８】
［第１の実施形態］
本実施形態では、蛍光体と光電変換素子とを組み合わせたＸ線撮影装置を含むＸ線撮影システムと、その処理について以下説明する。本実施形態のＸ線撮影システムの構成は図７に示した構成と同じものとする。また、本実施形態の平面検出器４と平面検出器制御部５は、図１０に示した平面検出器４と平面検出器制御部５と同じであるために説明を省略する。
【００４９】
図１３に本実施形態で用いるホストコンピュータ２の基本構成を示す。
【００５０】
１３０１はＣＰＵで、ＲＡＭ１３０２やＲＯＭ１３０３に記憶されたプログラムやデータを用いてホストコンピュータ２全体の制御を行うと共に、Ｘ線撮影装置１、平面検出器制御部５との信号の送受信制御を行う。
【００５１】
１３０２はＲＡＭで、外部記憶装置１３０４や記憶媒体ドライブ１３０９からロードされたプログラムやデータを一時的に記憶するエリアを備えると共に、ＣＰＵ１３０１が各処理を実行する際に一時的に使用するワークエリアも備える。
【００５２】
１３０３はＲＯＭで、ホストコンピュータ２のブートプログラムや設定データ、全体の制御プログラムやデータなどを格納する。
【００５３】
１３０４はハードディスクなどの外部記憶装置で、記憶媒体ドライブ１３０９からインストールされたプログラムやデータなどを保存する。また、ワークエリアのサイズがＲＡＭ１３０２のサイズを超えた場合に、越えた分のエリアをファイルとして提供することもできる。
【００５４】
１３０５，１３０６は夫々キーボード、マウスで、ポインティングデバイスとして機能し、各種の指示をホストコンピュータ２に入力することができる。
【００５５】
１３０７は表示装置で、ＣＲＴや液晶画面などにより構成されており、文字情報、画像情報として例えばシステムメッセージなどを表示することができる。
【００５６】
１３０８はインターフェース（Ｉ／Ｆ）で、インターネット、ＬＡＮ等のネットワークや外部機器との接続を行うことができる。なお、Ｉ／Ｆの数は同図では１つであるがこれに限定されるものではなく、複数設けることができ、本実施形態では夫々のＩ／Ｆを用いてＸ線撮影装置、平面検出器制御部５と接続することができ、夫々の機器と信号の送受信を行うことができる。
【００５７】
１３０９は記憶媒体ドライブで、ＣＤ−ＲＯＭドライブやＤＶＤドライブ、フロッピーディスクドライブ等により構成されており、ＣＤ−ＲＯＭやＤＶＤ−ＲＯＭなどの記憶媒体からプログラムやデータなどをロードすることができる。
【００５８】
１３１０は上述の各部を繋ぐバスである。
【００５９】
光電変換素子２０の初期化処理中にＸ線照射要求が発生した場合の初期化処理とＸ線撮影との関係を図１に示す。図１に示す様に、Ｘ線撮影を行わない場合は、リフレッシュと空読み（初期化処理）をＴＩ間隔で定期的に繰り返している。
【００６０】
そして図１は、空読み中の時刻ＴＸにＸ線発生装置１のＸ線照射スイッチが押され、Ｘ線照射要求がホストコンピュータ２を経由して平面検出器制御部５に届いた場合を示している。Ｘ線照射要求が発生すると、このＸ線照射要求をうけたホストコンピュータ２はＸ線照射要求信号をＬｏｗにする。Ｘ線照射要求信号がＬｏｗになると、このＸ線照射要求信号をうけた平面検出器制御部５はリフレッシュ処理を開始した時刻Ｔ１からＸ線照射要求信号がＬｏｗになるまでの時間ＴＷをＣＰＵ７内に設けられたメモリ（図１４参照）に記憶する。なお、このメモリはＣＰＵ７内に設けることに限定されるものではなく、ＣＰＵ７の外部に設けてもよい。
【００６１】
そして、時刻Ｔ５でゲート信号を０Ｖにして空読みが終了すると、記憶した時間ＴＷだけ待つ。時間ＴＷの待ちが終了すると、平面検出器制御部５は時刻Ｔ１１でＸ線照射許可信号をＬｏｗにする。
【００６２】
ここで、初期化処理が終わった後に平面検出器制御部５のＣＰＵ７は上述のメモリに記憶されたＴＷを読み出し、時間ＴＷだけ待つ（ウェイト処理）。その結果、初期化処理に要する時間ＴＤ１と、Ｘ線照射要求信号がＬｏｗになってからＸ線照射許可信号をＬｏｗにするまでの時間ＴＤ１は等しくなる。その結果、曝射ディレイ時間は常に一定時間ＴＤ１となる。
【００６３】
Ｘ線照射許可信号がＬｏｗになると、この信号はホストコンピュータ２を経由してＸ線発生装置１に届き、Ｘ線発生装置は図１に示すようにＸ線を照射する。Ｘ線発生装置１がＸ線を照射すると、照射されたＸ線は被写体６を通過して蛍光体３よって入射したＸ線量に比例した光に変換され、その光に応じた電荷がコンデンサ２１Ｃに電荷が蓄積される。
【００６４】
Ｘ線の照射が終了すると、平面検出器制御部５は時刻Ｔ６においてＸ線照射許可信号をＨｉｇｈにする。Ｘ線照射許可信号がＨｉｇｈになると、この信号はホストコンピュータ２を経由してＸ線発生装置１に届き、Ｘ線発生装置１はＸ線照射要求信号をＨｉｇｈにする。
【００６５】
また、Ｘ線の照射が終了すると、時刻Ｔ６でゲート信号をＶｇ、スイッチＳＷｒ１をＯＮにする。すると、図１０に示した１行目のＴＦＴ２２（１、１）〜ＴＦＴ２２（１、２）のゲート電極Ｇの電圧はＶｇとなり、１行目の光検出部２１の中のコンデンサ２１Ｃに蓄積された電荷が読み出される。そして読み出された電荷は、増幅器２５、サンプルホールド回路２６を通ってホールドされる。そして、時刻Ｔ６でスイッチＳＷｃ１をＯＮにすると、１行１列目の光検出部２１のホールドされた信号がＡ／Ｄ変換回路２７によってディジタル化され、その値がホストコンピュータに転送される。また、時刻Ｔ７において、スイッチＳＷｃ１をＯＦＦ、スイッチＳＷｃ２をＯＮにすると、１行２列目の光検出部２１のホールドされた信号がＡ／Ｄ変換回路２７によってディジタル化され、その値がホストコンピュータ２に転送される。
【００６６】
次に、時刻Ｔ８において、スイッチＳＷｒ１をＯＦＦ、スイッチＳＷｒ２をＯＮにすると、図１０に示した２行目のＴＦＴ２２（２、１）〜ＴＦＴ２２（２、２）のゲート電極Ｇの電圧はＶｇとなり、２行目の光検出部２１の中のコンデンサ２１Ｃに蓄積された電荷が読み出される。そして読み出された電荷は、増幅器２５、サンプルホールド回路２６を通ってホールドされる。そして、時刻Ｔ８でスイッチＳＷｃ１をＯＮにすると、２行１列目の光検出部２１のホールドされた信号がＡ／Ｄ変換回路２７によってディジタル化され、その値がホストコンピュータ２に転送される。また、時刻Ｔ９において、スイッチＳＷｃ１をＯＦＦ、スイッチＳＷｃ２をＯＮにすると、２行２列目の光検出部２１のホールドされた信号がＡ／Ｄ変換回路２７によってディジタル化され、その値がホストコンピュータ２に転送される。
【００６７】
そして、平面検出器４に蓄積された全ての電荷がホストコンピュータ２に転送されると、時刻Ｔ１０において、ゲート信号を０Ｖ、ＳＷｒ１、ＳＷｒ２をＯＦＦ、ＳＷｃ１、ＳＷｃ２をＯＦＦにする。
【００６８】
光電変換素子２０の初期化処理以外の時にＸ線照射要求が発生した場合は、既に説明した図１２に示した処理と同じ処理を行う。そのため、光電変換素子２０の初期化処理以外の時にＸ線照射要求が発生した場合の説明は省略する。
【００６９】
次に、本実施形態のＸ線撮影方法のフローチャートを図２、図３に示す。図２はＸ線撮影方法のメインルーチンであり、図３は初期化処理のサブルーチンである。
【００７０】
図２において、タイマー（ＴＭ）の値を０に初期化する（ステップＳ２０１）。このタイマーはハードウェアタイマーであり、例えばＣＰＵ７が内蔵するハードウェアタイマーでもよいし、ＣＰＵの外部にハードウェアタイマーをつけてもよい。そして、このタイマーは自動的に一定時間毎（例えば１ｍｓ毎）にカウントアップする。
【００７１】
そして、光電変換素子２０の初期化処理を行う（ステップＳ２０２）。初期化処理はサブルーチンになっている。初期化処理のサブルーチンについては、後で詳細に説明する。
【００７２】
次に、ＸＦＬＧが１か否かを判定する（ステップＳ２０３）。ＸＦＬＧはステップＳ２０２の初期化処理中にＸ線照射要求信号がＬｏｗになった場合に１となり、ステップＳ２０２の初期化処理中にＸ線照射要求信号がＬｏｗにならなければ０である。ステップＳ２０３において、ＸＦＬＧが１でない場合は、処理をステップＳ２０４に進め、Ｘ線照射要求信号の立下りを検出したか否かを判定する（ステップＳ２０４）。ステップＳ２０４において、Ｘ線照射要求信号の立下り（Ｘ線照射要求信号がＬｏｗになる）を検出した場合は処理をステップＳ２０６に進め、Ｘ線照射要求信号の立下りを検出しない場合はタイマー（ＴＭ）の値と初期化処理間隔ＴＩとを比較する（ステップＳ２０５）。比較処理の結果、ＴＭが初期化処理間隔ＴＩよりも小さい場合は、ステップＳ２０４とステップＳ２０５とを繰り返す。ここで、ＴＩは図１に示した初期化処理の間隔を示す。ステップＳ２０５において、ＴＭがＴＩ以上になった場合は、処理をステップＳ２０１に進め、ステップＳ２０１からステップＳ２０５までの処理を繰り返す。
【００７３】
また、ステップＳ２０３において、ＸＦＬＧが１の場合は、タイマー（ＴＴ）の値を０に初期化する（ステップＳ２１１）。このタイマーはハードウェアタイマーであり、例えばＣＰＵ７が内蔵するハードウェアタイマーでもよいし、ＣＰＵの外部にハードウェアタイマーをつけてもよい。そして、このタイマーは自動的に一定時間毎（例えば１ｍｓ毎）にカウントアップする。そして、タイマー（ＴＴ）の値とＴＷの値とを比較し（ステップＳ２１２）、ＴＴの方が小さい場合はステップＳ２１２の処理を繰り返す。ステップＳ２１２において、ＴＴがＴＷ以上になった場合は、処理をステップＳ２０７に進める。ここで、ＴＷはステップＳ２０２における初期化処理のサブルーチンで設定され、初期化処理を開始してからＸ線照射要求信号がＬｏｗになるまでの時間である。
【００７４】
次に、ステップＳ２０４において、Ｘ線照射要求信号がＬｏｗになった場合は、直ちに光電変換素子２０の初期化処理を行う（ステップＳ２０６）。初期化処理が終わると、Ｘ線照射許可信号をＬｏｗにする（ステップＳ２０７）。すると、Ｘ線発生装置はＸ線を照射して、Ｘ線撮影を行う（ステップＳ２０８）。その後、Ｘ線照射許可信号をＨｉｇｈにし（ステップＳ２０９）、撮影したＸ線画像を読み込むために本読みを行う（ステップＳ２１０）。そして、本読みを終了すると、処理をステップＳ２０１に進め、上述の処理を繰り返す。また、本読みを行うと、撮影されたＸ線ディジタル画像がホストコンピュータに転送され、画像処理等を経てＸ線ディジタル画像が表示装置に表示される。
【００７５】
次に、図３を用いてステップＳ２０２の初期化処理のサブルーチンを説明する。
【００７６】
最初に、タイマー（ＴＳ）の値とＸＦＬＧの値を０に初期化する（ステップＳ３０１）。このタイマーはハードウェアタイマーであり、例えばＣＰＵ７が内蔵するハードウェアタイマーでもよいし、ＣＰＵの外部にハードウェアタイマーをつけてもよい。そして、このタイマーは自動的に一定時間毎（例えば１ｍｓ毎）にカウントアップする。また、ＸＦＬＧは初期化処理中にＸ線照射要求信号の立下り（Ｘ線照射要求信号がＬｏｗになる）を検知したか否かを示すフラグである。
【００７７】
その後、リフレッシュ信号をＶｒにし（ステップＳ３０２）、Ｘ線照射要求信号の立下りを検出したか否かを判定する（ステップＳ３０３）。Ｘ線照射要求信号の立下りを検出しない場合はタイマー（ＴＳ）の値とリフレッシュ時間Ｔ２とを比較し（Ｓ４）、ＴＳがリフレッシュ時間Ｔ２よりも小さい場合はステップＳ３０３とステップＳ３０４とを繰り返す。ここで、図１において、Ｔ１の時刻を０とすると、Ｔ２はリフレッシュ信号をＶｒにしている時間である。また、ステップＳ３０３において、Ｘ線照射要求信号の立下りを検出した場合はステップＳ３１７に処理を進め、タイマー（ＴＳ）の値を変数ＴＷに保存し、ＸＦＬＧを１に設定する。従って、ＴＷは初期化処理を開始してからＸ線照射要求信号の立下りを検出するまでの時間を示す。
【００７８】
次に、ステップＳ３０４において、ＴＳがＴ２以上になった場合は処理をステップＳ３０５に進め、リフレッシュ信号をＶｓにする（ステップＳ３０５）。
【００７９】
その後、Ｘ線照射要求信号の立下りを検出したか否かを判定する（ステップＳ３０６）。Ｘ線照射要求信号の立下りを検出した場合は処理をステップＳ３１８に進める。一方、Ｘ線照射要求信号の立下りを検出しない場合はタイマー（ＴＳ）の値と空読みの開始時刻Ｔ３とを比較し（ステップＳ３０７）、ＴＳが空読みの開始時刻Ｔ３よりも小さい場合はステップＳ３０６とステップＳ３０７とを繰り返す。ここで、Ｔ３は図１に示した様に空読みを開始する時刻である。また、ステップＳ３０６において、Ｘ線照射要求信号の立下りを検出した場合は処理をステップＳ３１８に進め、タイマー（ＴＳ）の値を変数ＴＷに保存し、ＸＦＬＧを１に設定する。
【００８０】
ステップＳ３０７において、ＴＳがＴ３以上になった場合は、ゲート信号をＶｇにし（ステップＳ３０８）、変数ｎの値を１とする（ステップＳ３０９）。次に、ｎ＝１であるので、スイッチＳＷｒ１をＯＮにし（ステップＳ３１０）、Ｘ線照射要求信号の立下りを検出したか否かを判定する（ステップＳ３１１）。Ｘ線照射要求信号の立下りを検出した場合は処理をステップＳ３１９に進める。一方、Ｘ線照射要求信号の立下りを検出しない場合はタイマー（ＴＳ）の値とｎ＝１であるので時刻Ｔ４とを比較し（ステップＳ３１２）、ＴＳがＴ４よりも小さい場合はステップＳ３１１とステップＳ３１２とを繰り返す。ここで、Ｔ４は図１に示した様にＯＮにしているＳＷｒ１をＯＦＦにする時刻である。また、ステップＳ３１１において、Ｘ線照射要求信号の立下りを検出した場合は処理をステップＳ３１９に進め、タイマー（ＴＳ）の値をＴＷに保存し、ＸＦＬＧを１に設定する。
【００８１】
ステップＳ３１２において、ＴＳがＴ４以上になった場合は処理をステップＳ３１３に進め、スイッチＳＷｒ１をＯＦＦにする（ステップＳ３１３）。その後、変数ｎの値を１増加し（ステップＳ３１４）、変数ｎが２以下であるか否かを判定する（ステップＳ３１５）。本実施形態では図１０に示したように光電変換素子を行方向に２つ、列方向に２つ設けたので、ステップＳ３１５では変数ｎが２以下であるか否かの判定を行うが、例えば同素子を行方向、列方向に夫々３つ設けた場合にはステップＳ３１５では変数ｎが３以下であるか否かの判定を行う。
【００８２】
変数ｎが２以下の場合は処理をステップＳ３１０に進め、今度はｎ＝２であるので、スイッチＳＷｒ２をＯＮにし、ステップＳ３１０からステップＳ３１５までの処理を繰り返す。ステップＳ３１５において、変数ｎが２より大きくなった場合はステップＳ３１６でゲート信号を０Ｖにして、サブルーチンを終了する。
【００８３】
この様に、初期化処理のサブルーチンでは、Ｘ線照射要求信号の立下りを検出した場合はタイマー（ＴＳ）の値をＴＷに保存し、ＸＦＬＧを１に設定する。
【００８４】
［第２の実施形態］
本実施形態では、曝射ディレイ時間をより短くするＸ線撮影システムとその処理について以下説明する。光電変換素子２０の初期化処理中にＸ線照射要求が発生した場合の初期化処理とＸ線撮影との関係を図４に示す。
【００８５】
図４に示す様に、Ｘ線撮影を行わない場合は、リフレッシュと空読みをＴＩ間隔で定期的に繰り返している。
【００８６】
そして、図４においては、図１に示した場合と同じ様に空読み中の時刻ＴＸの時にＸ線発生装置１のＸ線照射スイッチが押され、Ｘ線照射要求がホストコンピュータ２を経由して平面検出器制御部５に届いた場合を示している。Ｘ線照射要求が発生すると、このＸ線照射要求信号を受けたホストコンピュータ２はＸ線照射要求信号をＬｏｗにする。
【００８７】
そして、時間Ｔ５でゲート信号を０Ｖにして空読みが終了すると、平面検出器制御部５は直ちにＸ線照射許可信号をＬｏｗにする。
【００８８】
その結果、初期化処理が終わった後、平面検出器制御部５が直ちにＸ線照射許可信号をＬｏｗにすることにより、Ｘ線照射要求信号がＬｏｗになってからＸ線照射許可信号をＬｏｗにするまでの時間（曝射ディレイ時間）ＴＤ２を、例えば第１の実施形態で示した方法よりも短くする事ができる。
【００８９】
Ｘ線照射許可信号がＬｏｗになると、この信号はホストコンピュータ２を経由してＸ線発生装置１に届き、Ｘ線発生装置１は図４に示すようにＸ線を照射する。Ｘ線発生装置１がＸ線を照射すると、照射されたＸ線は被写体６を通過して蛍光体３よって、入射したＸ線量に比例した光に変換され、その光に応じた電荷がコンデンサ２１Ｃに電荷が蓄積される。
【００９０】
Ｘ線の照射が終了すると、平面検出器制御部５は時刻Ｔ６においてＸ線照射許可信号をＨｉｇｈにする。Ｘ線照射許可信号がＨｉｇｈになると、この信号はホストコンピュータ２を経由してＸ線発生装置１に届く。そしてＸ線発生装置１はＸ線照射要求信号をＨｉｇｈにする。
【００９１】
また、Ｘ線の照射が終了すると、時刻Ｔ６でゲート信号をＶｇ、スイッチＳＷｒ１をＯＮにする。すると、図１０に示した１行目のＴＦＴ２２（１、１）〜ＴＦＴ２２（１、２）のゲート電極Ｇの電圧はＶｇとなり、１行目の光検出部２１の中のコンデンサ２１Ｃに蓄積された電荷が読み出される。そして読み出された電荷は、増幅器２５、サンプルホールド回路２６を通ってホールドされる。そして、時刻Ｔ６でスイッチＳＷｃ１をＯＮにすると、１行１列目の光検出部２１のホールドされた信号がＡ／Ｄ変換回路２７によってディジタル化され、その値がホストコンピュータに転送される。また、時刻Ｔ７において、スイッチＳＷｃ１をＯＦＦ、スイッチＳＷｃ２をＯＮにすると、１行２列目の光検出部２１のホールドされた信号がＡ／Ｄ変換回路２７によってディジタル化され、その値がホストコンピュータ２に転送される。
【００９２】
次に、時刻Ｔ８において、スイッチＳＷｒ１をＯＦＦ、スイッチＳＷｒ２をＯＮにすると、図１０に示した２行目のＴＦＴ２２（２、１）〜ＴＦＴ２２（２、２）のゲート電極Ｇの電圧はＶｇとなり、２行目の光検出部２１の中のコンデンサ２１Ｃに蓄積された電荷が読み出される。そして読み出された電荷は、増幅器２５、サンプルホールド回路２６を通ってホールドされる。そして、時刻Ｔ８でスイッチＳＷｃ１をＯＮにすると、２行１列目の光検出部２１のホールドされた信号がＡ／Ｄ変換回路２７によってディジタル化され、その値がホストコンピュータ２に転送される。また、時刻Ｔ９において、スイッチＳＷｃ１をＯＦＦ、スイッチＳＷｃ２をＯＮにすると、２行２列目の光検出部２１のホールドされた信号がＡ／Ｄ変換回路２７によってディジタル化され、その値がホストコンピュータ２に転送される。
【００９３】
そして、平面検出器４に蓄積された全ての電荷がホストコンピュータ２に転送されると、時刻Ｔ１０において、ゲート信号を０Ｖ、ＳＷｒ１、ＳＷｒ２をＯＦＦ、ＳＷｃ１、ＳＷｃ２をＯＦＦにする。
【００９４】
光電変換素子２０の初期化処理以外の時にＸ線照射要求が発生した場合は、既に説明した図１２に示した処理と同じ処理を行う。そのため、光電変換素子２０の初期化処理以外の時にＸ線照射要求が発生した場合の説明は省略する。
【００９５】
従って、本実施形態によれば、初期化処理以外の時にＸ線照射要求が発生した場合の曝射ディレイはＴＤ１、初期化処理中にＸ線照射要求が発生した場合の曝射ディレイはＴＤ２となり、ＴＤ２はＴＤ１以下であるために、曝射ディレイは最大でもＴＤ１となる。その結果、初期化処理中にＸ線照射要求が発生した場合に、曝射ディレイ時間を例えば第１の実施形態よりも短くすることができる。
【００９６】
次に、本実施形態のＸ線撮影方法のフローチャートを図５、図６に示す。図５はＸ線撮影方法のメインルーチンであり、図６は初期化処理のサブルーチンである。
【００９７】
図５において、タイマー（ＴＭ）の値を０に初期化する（ステップＳ５０１）。このタイマーはハードウェアタイマーであり、例えばＣＰＵ７が内蔵するハードウェアタイマーでもよいし、ＣＰＵの外部にハードウェアタイマーをつけてもよい。そして、このタイマーは自動的に一定時間毎（例えば１ｍｓ毎）にカウントアップする。
【００９８】
そして、光電変換素子２０の初期化処理を行う（ステップＳ５０２）。初期化処理はサブルーチンになっている。初期化処理のサブルーチンについては、後で詳細に説明する。
【００９９】
次に、ＸＦＬＧが１か否かを判定する（ステップＳ５０３）。ＸＦＬＧはステップＳ５０２における初期化処理中にＸ線照射要求信号がＬｏｗになった場合に１となり、ステップＳ５０２の初期化処理中にＸ線照射要求信号がＬｏｗにならなければ０である。ステップＳ５０３において、ＸＦＬＧが１でない場合は、Ｘ線照射要求信号の立下りを検出したか否かを判定する（ステップＳ５０４）。ステップＳ５０４において、Ｘ線照射要求信号の立下りを検出した場合は処理をステップＳ５０６に進める。一方、Ｘ線照射要求信号の立下りを検出しない場合はタイマー（ＴＭ）の値と初期化処理間隔ＴＩとを比較する（ステップＳ５０５）。ＴＭがＴＩよりも小さい場合は、ステップＳ５０４とステップＳ５０５とを繰り返す。ここで、ＴＩは図４に示した初期化処理の間隔を示す。ステップＳ５０５において、ＴＭがＴＩ以上になった場合は、処理をステップＳ５０１に進め、ステップＳ５０１からステップＳ５０５までの処理を繰り返す。
【０１００】
またステップＳ５０３において、ＸＦＬＧが１の場合は処理をステップＳ５０７に進め、Ｘ線照射許可信号をＬｏｗにする（ステップＳ５０７）。従って、ステップＳ５０２の初期化処理中にＸ線照射要求信号がＬｏｗになった場合はステップＳ５０６の初期化処理を行わない。
【０１０１】
次に、ステップＳ５０４において、Ｘ線照射要求信号がＬｏｗになった場合は、処理をステップＳ５０６に進め、直ちに光電変換素子２０の初期化処理を行う（ステップＳ５０６）。初期化処理が終わると、Ｘ線照射許可信号をＬｏｗにする（ステップＳ５０７）。すると、Ｘ線発生装置１はＸ線を照射して、Ｘ線撮影を行う（ステップＳ５０８）。その後、Ｘ線照射許可信号をＨｉｇｈにし（ステップＳ５０９）、撮影したＸ線画像を読み込むために本読みを行う（ステップＳ５１０）。そして、本読みを行うと、処理をステップＳ５０１に進め、上述の処理を繰り返す。また、本読みを行うと、撮影されたＸ線ディジタル画像がホストコンピュータ２に転送され、画像処理等を経てＸ線ディジタル画像が表示装置に表示される。
【０１０２】
次に、図６を用いてステップＳ５０２における初期化処理のサブルーチンを説明する。
【０１０３】
最初に、タイマー（ＴＳ）の値とＸＦＬＧの値を０に初期化する（ステップＳ６０１）。このタイマーはハードウェアタイマーであり、例えばＣＰＵ７が内蔵するハードウェアタイマーでもよいし、ＣＰＵの外部にハードウェアタイマーをつけてもよい。そして、このタイマーは自動的に一定時間毎（例えば１ｍｓ毎）にカウントアップする。また、ＸＦＬＧは初期化処理中にＸ線照射要求信号の立下りを検知したか否かを示すフラグである。
【０１０４】
その後、リフレッシュ信号をＶｒにし（ステップＳ６０２）、Ｘ線照射要求信号の立下りを検出したか否かを判定する（ステップＳ６０３）。Ｘ線照射要求信号の立下りを検出しない場合はタイマー（ＴＳ）の値とリフレッシュ時間Ｔ２とを比較し（ステップＳ６０４）、ＴＳがリフレッシュ時間Ｔ２よりも小さい場合はステップＳ６０３とステップＳ６０４とを繰り返す。ここで、図１において、Ｔ１の時刻を０とすると、Ｔ２はリフレッシュ信号をＶｒにしている時間である。また、ステップＳ６０３においてＸ線照射要求信号の立下りを検出した場合は処理をステップＳ６１７に進め、ＸＦＬＧを１に設定する。次にステップＳ６０４において、ＴＳがＴ２以上になった場合は処理をステップＳ６０５に進め、リフレッシュ信号をＶｓにする（ステップＳ６０５）。
【０１０５】
その後、Ｘ線照射要求信号の立下りを検出したか否かを判定する（ステップＳ６０６）。Ｘ線照射要求信号の立下りを検出した場合は処理をステップＳ６１８に進める。一方、Ｘ線照射要求信号の立下りを検出しない場合はタイマー（ＴＳ）の値と空読みの開始時刻Ｔ３とを比較し（ステップＳ６０７）、ＴＳが空読みの開始時刻Ｔ３よりも小さい場合はステップＳ６０６とステップＳ６０７とを繰り返す。ここで、Ｔ３は図４に示した様に空読みを開始する時刻である。また、ステップＳ６０６において、Ｘ線照射要求信号の立下りを検出した場合は処理をステップＳ６１８に進め、ＸＦＬＧを１に設定する。
【０１０６】
ステップＳ６０７において、ＴＳがＴ３以上になった場合は、ゲート信号をＶｇにし（ステップＳ６０８）、変数ｎの値を１とする（ステップＳ６０９）。次に、ｎ＝１であるので、スイッチＳＷｒ１をＯＮにし（ステップＳ６１０）、Ｘ線照射要求信号の立下りを検出したか否かを判定する（ステップＳ６１１）。Ｘ線照射要求信号の立下りを検出した場合は処理をステップＳ６１９に進める。一方、Ｘ線照射要求信号の立下りを検出しない場合はタイマー（ＴＳ）の値とｎ＝１であるので時刻Ｔ４とを比較し（ステップＳ６１２）、ＴＳがＴ４よりも小さい場合はステップＳ６１１とステップＳ６１２とを繰り返す。ここで、Ｔ４は図４に示した様にＯＮにしているＳＷｒ１をＯＦＦにする時間である。また、ステップＳ６１１において、Ｘ線照射要求信号の立下りを検出した場合は処理をステップＳ６１９に進め、ＸＦＬＧを１に設定する。
【０１０７】
ステップＳ６１２において、ＴＳがＴ４以上になった場合は処理をステップＳ６１３に進め、スイッチＳＷｒ１をＯＦＦにする（ステップＳ６１３）。その後、変数ｎの値を１増加し（ステップＳ６１４）、変数ｎが２以下であるか否かを判定する（ステップＳ６１５）。本実施形態では図１０に示したように光電変換素子を行方向に２つ、列方向に２つ設けたので、ステップＳ６１５では変数ｎが２以下であるか否かの判定を行うが、例えば同素子を行方向、列方向に夫々３つ設けた場合にはステップＳ６１５では変数ｎが３以下であるか否かの判定を行う。
【０１０８】
変数ｎが２以下の場合は処理をステップＳ６１０に進め、今度はｎ＝２であるので、スイッチＳＷｒ２をＯＮにしてステップＳ６１０からステップＳ６１５までの処理を繰り返す。ステップＳ６１５において、変数ｎが２より大きくなった場合はステップＳ６１６でゲート信号を０Ｖにして、サブルーチンを終了する。
【０１０９】
この様に、初期化処理のサブルーチンでは、Ｘ線照射要求信号の立下りを検出した場合はＸＦＬＧを１に設定する。
【０１１０】
本実施形態では、初期化処理は１回のリフレッシュと１回の空読みからなるとしているが、これに限定されるものではなく、例えば１回のリフレッシュと複数回の空読みでもよい。
【０１１１】
また、光電変換装置４は２行２列の光電変換素子が平面に配置したものとして説明しているが、これに限定されるものではなく、実際には行方向が１０００〜４０００、列方向は１０００〜４０００からなる場合が多い。ただし、これに限定されるものではなく、もっと少なくても多くてもよい。
【０１１２】
また、本実施形態では行アドレス選択回路９はゲート制御回路２４とスイッチＳＷｒ１〜２とからなるとしているが、これに限定されるものではなく、行方向の光電変換素子２０を選択できればよい。
【０１１３】
また、本実施形態では列アドレス選択回路１０は増幅器２５、サンプルホールド回路２６、スイッチＳＷｃ１〜２とからなるとしているが、これに限定されるものではなく、列方向の光電変換素子２０を選択できればよい。
【０１１４】
［他の実施形態］
また、本発明は上記実施形態を実現する為の装置及び方法のみに限定されるものではなく、上記システム又は装置内のコンピュータ（ＣＰＵあるいはＭＰＵ）に、上記実施形態を実現する為のソフトウェアのプログラムコードを供給し、このプログラムコードに従って上記システムあるいは装置のコンピュータが上記各種デバイスを動作させることにより上記実施形態を実現する場合も本発明の範疇に含まれる。
【０１１５】
またこの場合、ソフトウェアのプログラムコード自体が上記実施形態の機能を実現することになり、そのプログラムコード自体、及びそのプログラムコードをコンピュータに供給する為の手段、具体的には上記プログラムコードを格納した記憶媒体は本発明の範疇に含まれる。
【０１１６】
この様なプログラムコードを格納する記憶媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【０１１７】
また、上記コンピュータが、供給されたプログラムコードのみに従って各種デバイスを制御することにより、上記実施形態の機能が実現される場合だけではなく、上記プログラムコードがコンピュータ上で稼働しているＯＳ（オペレーティングシステム）、あるいは他のアプリケーションソフト等と共同して上記実施形態が実現される場合にもかかるプログラムコードは本発明の範疇に含まれる。
【０１１８】
更に、この供給されたプログラムコードが、コンピュータの機能拡張ボードやコンピュータに接続された機能拡張ユニットに備わるメモリに格納された後、そのプログラムコードの指示に基づいてその機能拡張ボードや機能格納ユニットに備わるＣＰＵ等が実際の処理の一部又は全部を行い、その処理によって上記実施形態が実現される場合も本発明の範疇に含まれる。
【０１１９】
【発明の効果】
以上説明したように、本発明によって、検出器の初期化中にＸ線の照射要求を受けても、Ｘ線撮影画像中のノイズを抑えることができる。また、検出器の初期化中にＸ線の照射要求を受けてた場合は、曝射ディレイ時間を短くすることができる。
【図面の簡単な説明】
【図１】本発明の第１の実施形態において、光電変換素子２０の初期化処理中にＸ線照射要求が発生した場合の初期化処理とＸ線撮影との関係を示す図である。
【図２】本発明の第１の実施形態におけるＸ線撮影方法のメインルーチンのフローチャートである。
【図３】本発明の第２の実施形態におけるＸ線撮影方法において、初期化処理のサブルーチンのフローチャートである。
【図４】本発明の第２の実施形態において、光電変換素子２０の初期化処理中にＸ線照射要求は発生した場合の初期化処理とＸ線撮影との関係を示す図である。
【図５】本発明の第２の実施形態のＸ線撮影方法のメインルーチンのフローチャートである。
【図６】本発明の第２の実施形態におけるＸ線撮影方法において、初期化処理のサブルーチンのフローチャートである。
【図７】従来のＸ撮影システムの一例を示した回略ブロック図である。
【図８】１個の光電変換素子の等価回路を示す図である。
【図９】１個の光電変換素子２０の初期化処理を説明する図である。
【図１０】平面検出器４と平面検出器制御部５の一例を示すブロック図である。
【図１１】複数の光電変換素子２０の初期化処理について説明する図である。
【図１２】光電変換素子２０の初期化処理とＸ線撮影との関係を示す図である。
【図１３】ホストコンピュータ２の基本構成を示す図である。
【図１４】ＣＰＵ７内に設けられたメモリを説明する図である。
【図１】
0004810013.tif 000002
【図２】
0004810013.tif 000003
【図３】
0004810013.tif 000004
【図４】
0004810013.tif 000005
【図５】
0004810013.tif 000006
【図６】
0004810013.tif 000007
【図７】
0004810013.tif 000008
【図８】
0004810013.tif 000009
【図９】
0004810013.tif 000010
【図１０】
0004810013.tif 000011
【図１１】
0004810013.tif 000012
【図１２】
0004810013.tif 000013
【図１３】
0004810013.tif 000014
【図１４】
0004810013.tif 000015